(57)【要約】【課題】表示される数字等の見栄えが良好な表示装置を提供することを目的とする。【解決手段】緑色基準パターン１７と赤色基準パターン１８とを構成する緑色表示セグメント群と赤色表示セグメント群を備えた蛍光表示管（表示装置）であって、緑色基準パターン１７及び赤色基準パターン１８が、緑色長環パターン１７１及び赤色長環パターン１８１と、緑色横線パターン１７２及び赤色横線パターン１８２と、を備え、緑色長環パターン１７１及び赤色長環パターン１８１が、互いに大きさの異なるパターンであるとともに、大きさの小さい緑色長環パターン１７１を内側にして全体として二重環を描くように配置されており、緑色横線パターン１７２及び赤色横線パターン１８２が、最内側である緑色長環パターン１７１の内側に、互いに沿うように上下方向Ｄ１１に並べられて配置されている。【選択図】図４
2019049677.tif 000002
【特許請求の範囲】
【請求項１】
複数の基準パターンそれぞれの少なくとも一部を各々が構成する複数群の表示セグメント群を備えた表示装置であって、
前記複数の基準パターンそれぞれが、観察者から見た上下方向に延びる縦長の長環パターンと、当該長環パターンの内側を、前記上下方向と交差する左右方向に横切るように配置される横線パターンと、を備え、
前記複数の基準パターンそれぞれの前記長環パターンが、互いに大きさの異なるパターンであるとともに、小さいパターンほど内側にして全体として多重環を描くように配置されており、
前記複数の基準パターンそれぞれの前記横線パターンが、前記複数の長環パターンのうち最内側の前記長環パターンの内側に、互いに沿うように前記上下方向に並べられて配置されていることを特徴とする表示装置。
【請求項２】
前記複数群の表示セグメント群は、互いに表示色が異なっていることを特徴とする請求項１に記載の表示装置。
【請求項３】
前記複数の基準パターンは、少なくとも最外側の前記長環パターンを有する基準パターンが、最内側の前記長環パターンを有する基準パターンよりも細いことを特徴とする請求項１又は２に記載の表示装置。
【請求項４】
前記複数の基準パターンのうち、最外側の前記長環パターンを有する基準パターンに対応する表示セグメント群が、当該基準パターンのうち、前記上下方向についての上部に位置する上部湾曲パターン部分と、下部に位置する下部湾曲パターン部分と、を少なくとも構成するものであることを特徴とする請求項１〜３のうち何れか一項に記載の表示装置。
【請求項５】
前記複数の基準パターンそれぞれの前記長環パターンは、前記上下方向について、当該長環パターンに対応する前記横線パターンが当該長環パターンの略中央を横切る位置に配置されていることを特徴とする請求項１〜４のうち何れか一項に記載の表示装置。
【請求項６】
電圧を印加されて熱電子を放出するフィラメントと、
電圧を印加され、当該電圧の極性を含む印加条件に応じて前記フィラメントを発した前記熱電子の流れを制御する金属メッシュと、を備え、
前記複数群の表示セグメント群が、何れも、表面に蛍光体が設けられ、前記フィラメントを発して前記金属メッシュによる制御を受けた前記熱電子の衝突に応じて蛍光を発する蛍光セグメントで構成されるものであることを特徴とする請求項１〜５のうち何れか一項に記載の表示装置。
【発明の詳細な説明】
【技術分野】
【０００１】
本発明は、表示セグメント群で数字等を表示する表示装置に関するものである。
【背景技術】
【０００２】
従来、例えば蛍光表示管の分野等において、複数の基準パターンそれぞれの少なくとも一部を各々が構成する複数群の表示セグメント群を備えた表示装置が提案されている（例えば、特許文献１参照。）。特許文献１には、２つの基準パターンに対応する２群の表示セグメント群を備えた表示装置が示されている。各基準パターンは、０〜９までの数字を表現できるように、観察者から見た上下方向に延びる縦長の長環パターンと、当該長環パターンの内側に、上下方向と交差する左右方向に横切るように配置される横線パターンと、を備えたパターンとなっている。そして、これら２つの基準パターンが、斜めに位置がずれるように重ねられることで、限られたスペースに効率的に配置されている。
【先行技術文献】
【特許文献】
【０００３】
【特許文献１】特開２０００−９８９３２号公報
【発明の概要】
【発明が解決しようとする課題】
【０００４】
ここで、特許文献１に記載の表示装置では、２つの基準パターンが交差する箇所において、一方の表示セグメント群に属するセグメントの間隔を開けて、他方の表示セグメント群に属するセグメントを通している。これにより、２群の表示セグメント群が、互いに重なることが無いように形成されることとなっている。
【０００５】
しかしながら、上記のようにセグメントの間隔が開くことから、特許文献１に記載の表示装置には、表示セグメント群で表示される数字等の見栄えの点で改善の余地が見られる。
【０００６】
従って、本発明は、上記のような問題に着目し、表示される数字等の見栄えが良好な表示装置を提供することを目的とする。
【課題を解決するための手段】
【０００７】
上記課題を解決するために、本発明の表示装置は、複数の基準パターンそれぞれの少なくとも一部を各々が構成する複数群の表示セグメント群を備えた表示装置であって、前記複数の基準パターンそれぞれが、観察者から見た上下方向に延びる縦長の長環パターンと、当該長環パターンの内側を、前記上下方向と交差する左右方向に横切るように配置される横線パターンと、を備え、前記複数の基準パターンそれぞれの前記長環パターンが、互いに大きさの異なるパターンであるとともに、小さいパターンほど内側にして全体として多重環を描くように配置されており、前記複数の基準パターンそれぞれの前記横線パターンが、前記複数の長環パターンのうち最内側の前記長環パターンの内側に、互いに沿うように前記上下方向に並べられて配置されていることを特徴とする。
【０００８】
本発明の表示装置では、複数の長環パターンが多重環を描くように配置され、複数の横線パターンが最内側の長環パターンの内側に配置される。これにより、複数の基準パターンが、そもそも交差しないように配置されている。従って、各基準パターンに対応する表示セグメント群に属するセグメント間の間隔を抑えることができ、その結果、表示される数字等の見栄えを良好なものとすることができる。
【０００９】
ここで、本発明の表示装置において、前記複数群の表示セグメント群は、互いに表示色が異なっていることが好適である。
【００１０】
この好適な表示装置によれば、複数の基準パターンに応じた数字等を複数色で表示させることができる。
【００１１】
また、本発明の表示装置において、前記複数の基準パターンは、少なくとも最外側の前記長環パターンを有する基準パターンが、最内側の前記長環パターンを有する基準パターンよりも細いことも好適である。
【００１２】
この好適な表示装置によれば、最内側の長環パターンの内側の空きスペースについて、少なくとも最外側の長環パターンに対応した横線パターンの細さの分だけ広くすることができる。これにより、このように広くなった空きスペースを有効利用して、例えば表示装置の構成部品を配置する等といった運用が可能となる。
【００１３】
また、本発明の表示装置において、前記複数の基準パターンのうち、最外側の前記長環パターンを有する基準パターンに対応する表示セグメント群が、当該基準パターンのうち、前記上下方向についての上部に位置する上部湾曲パターン部分と、下部に位置する下部湾曲パターン部分と、を少なくとも構成するものであることも好適である。
【００１４】
この好適な表示装置によれば、上記の上部湾曲パターン部分及び下部湾曲パターン部分に対応して、上下の括弧模様を表示させることができる。これにより、最外側の長環パターンの内側に長環パターンが位置する基準パターンに対応して表示される数字等を、上下の括弧模様で挟んで強調表示させる等といった運用が可能となる。
【００１５】
また、本発明の表示装置において、前記複数の基準パターンそれぞれの前記長環パターンは、前記上下方向について、当該長環パターンに対応する前記横線パターンが当該長環パターンの略中央を横切る位置に配置されていることも好適である。
【００１６】
この好適な表示装置によれば、各基準パターンに対応して表示させる数字等の上下方向のバランスを良好なものとして、見栄えを一層良好なものとすることができる。
【００１７】
また、本発明の表示装置において、電圧を印加されて熱電子を放出するフィラメントと、電圧を印加され、当該電圧の極性を含む印加条件に応じて前記フィラメントを発した前記熱電子の流れを制御する金属メッシュと、を備え、前記複数群の表示セグメント群が、何れも、表面に蛍光体が設けられ、前記フィラメントを発して前記金属メッシュによる制御を受けた前記熱電子の衝突に応じて蛍光を発する蛍光セグメントで構成されるものであることも好適である。
【００１８】
この好適な表示装置は、蛍光表示管であるが、この蛍光表示管における蛍光セグメントで上記の表示セグメント群が構成されている。これにより、蛍光表示管について、表示される数字等の見栄えを良好なものとすることができる。さらに、蛍光表示管では、上記の金属メッシュの支持部を設ける必用があるが、上記の好適な表示装置によれば、内側に複数の横線パターンが配置されているだけで広く空いている最内側の長環パターンの内側の空きスペースを有効利用することができる。このため、この最内側の長環パターンの内側の空きスペースを金属メッシュの支持部の設置位置として利用する等といった運用が可能であり、金属メッシュの支持強度を向上させることができる。
【発明の効果】
【００１９】
本発明によれば、表示される数字等の見栄えが良好な表示装置を提供することができる。
【図面の簡単な説明】
【００２０】
【図１】本発明の一実施形態にかかる蛍光表示管を示す模式図である。
【図２】図１に示されている金属メッシュ及び蛍光表示部を、金属メッシュの側から見た模式的な平面図である。
【図３】図２中のＶ１１−Ｖ１１線に沿った模式的な断面図である。
【図４】図２や図３に示されている緑色蛍光セグメントや赤色蛍光セグメントの配置の基準となった基準パターンを示す平面図である。
【図５】赤色表示セグメント群及び緑色表示セグメント群の別例を示す図である。
【図６】図２に示された蛍光表示部、及び図５に示された別例の蛍光表示部の適用例を示す模式図である。
【図７】図１〜図６に別例とともに示されている実施形態に対する比較例を示す図である。
【発明を実施するための形態】
【００２１】
以下、本発明の一実施形態について説明する。
【００２２】
図１は、本発明の一実施形態にかかる蛍光表示管を示す模式図である。
【００２３】
図１に示されている蛍光表示管１は、真空管の構造を利用した表示装置で、真空のガラス容器の中に、フィラメント１１と、金属メッシュ１２と、蛍光表示部１３と、ガラス基板１４と、が封止されている。フィラメント１１は、外部電源ＢＰ１１から電圧を印加されて熱電子を放出する部位である。金属メッシュ１２は、外部電源ＢＰ１１から電圧を印加され、その電圧の極性を含む印加条件に応じてフィラメント１１を発した熱電子の流れを制御する部位である。金属メッシュ１２が陽極性に荷電されると、金属メッシュ１２は熱電子を引き付けて蛍光表示部１３へと案内する。逆に金属メッシュ１２が陰極性に荷電されると、金属メッシュ１２は蛍光表示部１３に対して熱電子を遮断する。蛍光表示部１３は、表面に蛍光体が設けられ、フィラメント１１を発して金属メッシュ１２による制御を受けた熱電子の衝突に応じて蛍光を発する蛍光セグメント１３１が複数集まって構成される。各蛍光セグメント１３１は、アノード電極となっており、外部電源ＢＰ１１から陽極性の電圧を印加されると、熱電子を引き付け、その熱電子の衝突に応じて蛍光を発する部位である。つまり、複数の蛍光セグメント１３１のうち、電圧を印加されたものが蛍光を発する。金属メッシュ１２に対する印加電圧の極性制御や、複数の蛍光セグメント１３１に対する電圧の選択印加は、所定のスイッチ回路Ｃｒ１１によって行われる。この蛍光表示管１では、蛍光表示部１３がガラス基板１４の上に、図中横方向に複数配列されている。
【００２４】
図２は、図１に示されている金属メッシュ及び蛍光表示部を、金属メッシュの側から見た模式的な平面図である。また、図３は、図２中のＶ１１−Ｖ１１線に沿った模式的な断面図である。尚、図２ではガラス基板１４の上に配列される蛍光表示部１３が２つ示されている。
【００２５】
本実施形態では、蛍光表示部１３が、緑色蛍光を発する緑色表示セグメント群１５と、赤色蛍光を発する赤色表示セグメント群１６と、の２群の表示セグメント群を備えている。以下、これら緑色表示セグメント群１５及び赤色表示セグメント群１６それぞれを構成する蛍光セグメントを互いに区別して説明するために、それぞれ、図１に示されている符号「１３１」とは異なる符号を付して説明する。緑色表示セグメント群１５は、複数の緑色蛍光セグメント１５１で構成され、赤色表示セグメント群１６は、複数の赤色蛍光セグメント１６１で構成されている。
【００２６】
ここで、緑色表示セグメント群１５及び赤色表示セグメント群１６は、それぞれ、次のような基準パターンに沿って緑色蛍光セグメント１５１や赤色蛍光セグメント１６１が配置されたものとなっている。
【００２７】
図４は、図２や図３に示されている緑色蛍光セグメントや赤色蛍光セグメントの配置の基準となった基準パターンを示す平面図である。
【００２８】
この図４には、緑色蛍光セグメント１５１の配置の基準となった緑色基準パターン１７と、赤色蛍光セグメント１６１の配置の基準となった赤色基準パターン１８と、が示されている。緑色基準パターン１７は、観察者から見た上下方向Ｄ１１に延びる縦長の緑色長環パターン１７１と、この緑色長環パターン１７１の内側における上下方向Ｄ１１の途中で、この内側を、上下方向Ｄ１１と交差する左右方向Ｄ１２に横切るように配置される緑色横線パターン１７２と、を備えている。同様に、赤色基準パターン１８も、上下方向Ｄ１１に延びる縦長の赤色長環パターン１８１と、この赤色長環パターン１８１の内側における上下方向Ｄ１１の途中で、この内側を左右方向Ｄ１２に横切るように配置される赤色横線パターン１８２と、を備えている。尚、本実施形態では、緑色長環パターン１７１及び赤色長環パターン１８１は、何れも、四つの角が丸められ、図中で右方に傾いた平行四辺形状の矩形環となっている。
【００２９】
ここで、緑色長環パターン１７１と赤色長環パターン１８１とは、互いに大きさの異なるパターンであり、具体的には、緑色長環パターン１７１よりも赤色長環パターン１８１の方が大きなパターンとなっている。これら緑色長環パターン１７１及び赤色長環パターン１８１が、大きさの小さい緑色長環パターン１７１を内側にして全体として二重環を描くように配置されている。即ち、赤色長環パターン１８１が、緑色長環パターン１７１の外周を囲むように配置されている。
【００３０】
そして、二重環における最内側となる緑色長環パターン１７１の内側に、互いに沿うように上下方向に並べられて緑色横線パターン１７２及び赤色横線パターン１８２が配置されている。本実施形態では、赤色横線パターン１８２が緑色横線パターン１７２の下方に配置されている。
【００３１】
また、本実施形態では、二重環における最外側となる赤色長環パターン１８１を有する赤色基準パターン１８が、最内側となる緑色長環パターン１７１を有する緑色基準パターン１７よりも細い。
【００３２】
さらに、緑色長環パターン１７１は、上下方向Ｄ１１について、緑色横線パターン１７２が緑色長環パターン１７１の略中央を横切る位置に配置されている。同様に、赤色長環パターン１８１は、上下方向Ｄ１１について、赤色横線パターン１８２が赤色長環パターン１８１の略中央を横切る位置に配置されている。
【００３３】
ここで、本実施形態では、赤色長環パターン１８１は、その内縁が、緑色長環パターン１７１の外縁に、セグメント形成上で必要な微小間隙を残して近接した状態で配置されている。同様に、赤色横線パターン１８２は、その上縁が、緑色横線パターン１７２の下縁に、微小間隙を残して近接した状態で配置されている。このため、赤色横線パターン１８２に赤色長環パターン１８１の略中央を横切らせるために、赤色長環パターン１８１における下辺部分は、緑色長環パターン１７１の下辺部分から、緑色横線パターン１７２の幅に相当する間隙ｄ１１だけ離れることとなっている。
【００３４】
図２及び図３に示されている緑色表示セグメント群１５は、上記の緑色基準パターン１７に沿って緑色蛍光セグメント１５１が配置されることで、この緑色基準パターン１７を構成したものとなっている。同様に、赤色表示セグメント群１６は、上記の赤色基準パターン１８に沿って赤色蛍光セグメント１６１が配置されることで、この赤色基準パターン１８を構成したものとなっている。
【００３５】
ここで、本実施形態では、上記の二重環の最外側となる赤色長環パターン１８１を有する赤色基準パターン１８に対応する赤色表示セグメント群１６が、この赤色基準パターン１８を次のように構成している。即ち、赤色基準パターン１８のうち、上下方向Ｄ１１についての上部に位置する上部湾曲パターン部分１８１ａと、下部に位置する下部湾曲パターン部分１８１ｂと、を含んで赤色基準パターン１８の全形状を構成している。同様に、緑色表示セグメント群１５も、緑色基準パターン１７の全形状を構成している。
【００３６】
尚、本発明にいう表示セグメント群は、本実施形態のように基準パターンの全形状を構成するものに限らず、次のように基準パターンの一部を構成するものであってもよい。
【００３７】
図５は、赤色表示セグメント群及び緑色表示セグメント群の別例を示す図である。
【００３８】
この図５には、２つの蛍光表示部１３−１，１３−２が示されている。図中左側の蛍光表示部１３−１における赤色表示セグメント群１６−１は、数字の「４」の表示に特化したもので、赤色蛍光セグメント１６１は、赤色基準パターン１８において数字の「４」の表示に必要な部分にのみ配置されている。また、緑色表示セグメント群１５−１は、数字の「３」の表示に特化したもので、緑色蛍光セグメント１５１は、緑色基準パターン１７において数字の「３」の表示に必要な部分にのみ配置されている。
【００３９】
また、図中右側の蛍光表示部１３−２における赤色表示セグメント群１６−２は、数字の「０」の表示に特化したもので、赤色蛍光セグメント１６１は、赤色基準パターン１８において数字の「０」の表示に必要な部分にのみ配置されている。また、緑色表示セグメント群１５−２は、数字の「９」の表示に特化したもので、緑色蛍光セグメント１５１は、緑色基準パターン１７において数字の「０」の表示に必要な部分にのみ配置されている。
【００４０】
図６は、図２に示された蛍光表示部、及び図５に示された別例の蛍光表示部の適用例を示す模式図である。
【００４１】
この図６には、図２の蛍光表示部１３と、図５の別例の蛍光表示部１３−１，１３−２が３段に配列された例が示されている。最上段には、別例の蛍光表示部１３−１，１３−２が配置され、２段目と３段目には、図２の蛍光表示部１３が、それぞれ１１個ずつ配列されている。
【００４２】
図６の最上段の例は、図５の別例の蛍光表示部１３−１，１３−２を、給湯器の温度表示に適用した例である。４０℃を閾値として、閾値未満の際には、通常表示として、緑色表示セグメント群１５−１，１５−２に「３９」℃を表示させ、閾値を超えた際には、緊急表示として、赤色表示セグメント群１６−１，１６−２に「４０」℃を表示させる例となっている。
【００４３】
図６の２段目の例は、図２の蛍光表示部１３における緑色表示セグメント群１５の１１通りの表示例を示したものである。即ち、「０」〜「９」までの１０個の数字と、上下二本の平行線と、を表示させた例となっている。各表示例は、緑色表示セグメント群１５における各数字や図形の表示に必要な緑色蛍光セグメント１５１に電圧を印加して各数字及び図形を表示させた例である。
【００４４】
また、図６の３段目の例は、図２の蛍光表示部１３における赤色表示セグメント群１６の１１通りの表示例を示したものである。即ち、「０」〜「９」までの１０個の数字を表示させた例と、緑色表示セグメント群１５による数字「４」の表示に対して上下の括弧による強調表示を行なった例となっている。この各表示例も、赤色表示セグメント群１６における各数字や図形の表示に必要な赤色蛍光セグメント１６１に電圧を印加して各数字及び図形を表示させた例である。尚、赤色表示セグメント群１６による強調表示では、図４に示されている上部湾曲パターン部分１８１ａ及び下部湾曲パターン部分１８１ｂそれぞれに対応した赤色蛍光セグメント１６１に電圧が印加されている。
【００４５】
図７は、図１〜図６に別例とともに示されている実施形態に対する比較例を示す図である。
【００４６】
この図７の比較例では、縦長の長環パターンと横線パターンとからなる不図示の基準パターンが２つ斜めにずらされて配置されている。そして、各基準パターンに沿って緑色蛍光セグメント５１１及び赤色蛍光セグメント５２１が互いに重ならないように並べられて、緑色表示セグメント群５１及び赤色表示セグメント群５２が形成されている。緑色表示セグメント群５１及び赤色表示セグメント群５２は、何れも「０」〜「９」の数字を表示するものである。
【００４７】
ここで、この比較例では、２つの基準パターンが交差する交差箇所Ｘ１において、緑色表示セグメント群５１に属する緑色蛍光セグメント５１１の間隔を開けて、赤色表示セグメント群５２に属する赤色蛍光セグメント５２１を通している。また、他の交差箇所Ｘ２では、赤色蛍光セグメント５２１の間隔を開けて緑色蛍光セグメント５１１を通している。これにより、緑色表示セグメント群５１及び赤色表示セグメント群５２が、互いに重なることが無いように形成されることとなっている。
【００４８】
しかしながら、この比較例では、上記のように緑色蛍光セグメント５１１の間隔や赤色蛍光セグメント５２１の間隔が部分的に開くことから、表示される数字の見栄えの点で改善の余地が見られる。
【００４９】
上述した実施形態の表示装置としての蛍光表示管１では、緑色長環パターン１７１及び赤色長環パターン１８１が二重環を描くように配置され、緑色横線パターン１７２及び赤色横線パターン１８２が最内側の緑色長環パターン１７１の内側に配置される。これにより、緑色基準パターン１７及び赤色基準パターン１８が、そもそも交差しないように配置されている。従って、例えば図７に示されている比較例等と比較して、緑色蛍光セグメント１５１の間隔や赤色蛍光セグメント１６１の間隔を抑えることができ、その結果、表示される数字等の見栄えを良好なものとすることができる。
【００５０】
また、本実施形態では、蛍光表示管１における２群の表示セグメント群は、互いに表示色が異なった緑色表示セグメント群１５及び赤色表示セグメント群１６となっている。これにより、２つの基準パターンに応じた数字等を緑／赤の２色で表示させることができる。本実施形態では、緑色表示セグメント群１５による表示が通常表示に利用され、赤色表示セグメント群１６による表示が緊急表示に利用されている。
【００５１】
また、本実施形態では、二重環の最外側となる赤色長環パターン１８１を有する赤色基準パターン１８が、最内側となる緑色長環パターン１７１を有する緑色基準パターン１７よりも細い。これにより、最内側の緑色長環パターン１７１の内側の空きスペースが、最外側の赤色長環パターン１８１に対応した赤色横線パターン１８２の細さの分だけ広くなっている。本実施形態では、このように広くなった空きスペースが、詳細は後述するように蛍光表示管１の構成部品を配置に有効利用されている。
【００５２】
また、本実施形態では、前記複数の基準パターンのうち、最外側の赤色長環パターン１８１を有する赤色基準パターン１８に対応する赤色表示セグメント群１６が、赤色基準パターン１８の次のような部分を含んで全形状を構成している。即ち、赤色表示セグメント群１６は、赤色基準パターン１８の上部湾曲パターン部分１８１ａと下部湾曲パターン部分１８１ｂと、を含んで全形状を構成している。これにより、上記の上部湾曲パターン部分１８１ａ及び下部湾曲パターン部分１８１ｂに対応して、図６に示されているように上下の括弧模様を表示させることができる。そして、最外側の赤色長環パターン１８１の内側に緑色長環パターン１７１が位置する緑色基準パターン１７に対応して表示される数字等を、上下の括弧模様で挟んで強調表示させる等といった運用が可能となっている。
【００５３】
また、本実施形態では、緑色長環パターン１７１及び赤色長環パターン１８１は、緑色横線パターン１７２及び赤色横線パターン１８２が各長環パターンの略中央を横切る位置に配置されている。これにより、緑色基準パターン１７及び赤色基準パターン１８に対応して表示させる数字等の上下方向のバランスを良好なものとして、見栄えを一層良好なものとすることができる。
【００５４】
また、本実施形態の表示装置は、上述したように蛍光表示管１となっている。そして、蛍光表示管１では、フィラメント１１からの熱電子の流れを制御する金属メッシュ１２をガラス基板１４に支持する部材として、図２及び図３に示されているように、外縁メッシュタブ１２１と内部位置メッシュタブ１２２が設けられている。
【００５５】
外縁メッシュタブ１２１は、金属メッシュ１２の外縁を支持する部位である。また、内部位置メッシュタブ１２２は、金属メッシュ１２における外縁から離れた内部位置を支持する部位である。また、外縁メッシュタブ１２１及び内部位置メッシュタブ１２２は、何れも金属メッシュ１２に電圧を印加するための電極の役割も果たしている。
【００５６】
ここで、本実施形態では、内側に緑色横線パターン１７２及び赤色横線パターン１８２が配置されているだけで広く空いている最内側の緑色長環パターン１７１の内側の空きスペースを有効利用することができる。このため、本実施形態では、この緑色長環パターン１７１の内側の空きスペースが金属メッシュ１２の内部位置メッシュタブ１２２の設置位置として利用されている。これにより、金属メッシュ１２の支持強度を向上させることができる。
【００５７】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の表示装置の構成を具備する限り、勿論、本発明の範疇に含まれるものである。
【００５８】
例えば、上述した実施形態では、本発明にいう表示装置の一例として、蛍光表示管１が例示されている。しかしながら、本発明にいう表示装置はこれに限るものではなく、例えば液晶表示装置や有機ＥＬ表示装置等であってもよい。本発明にいう表示装置は、複数の基準パターンそれぞれの少なくとも一部を各々が構成する複数群の表示セグメント群を備えた表示装置であれば、その具体的な態様を問うものではない。
【００５９】
また、上述した実施形態では、本発明にいう表示装置の一例として、フィラメント１１が配置されている表面側に向かって蛍光を発する蛍光表示管１が例示されている。しかしながら、本発明にいう表示装置は、これに限るものではなく、表示セグメント群が形成されている基板や、基板上の電極パターンを、透明基板や透明電極パターンで構成し、表面側に向かって蛍光を発したり、両面側に蛍光を発したりするものであってもよい。
【００６０】
また、上述した実施形態では、本発明にいう複数の基準パターンの各一例として、緑色基準パターン１７と赤色基準パターン１８との２つの基準パターンが例示されている。また、本発明にいう複数群の表示セグメント群の一例として、緑色表示セグメント群１５と赤色表示セグメント群１６との２群のセグメント群が例示されている。しかしながら、本発明にいう複数の基準パターンや複数群の表示セグメント群は、これらに限るものではなく、３つ以上の基準パターンや３群以上の表示セグメント群であってもよい。
【００６１】
また、上述した実施形態では、本発明にいう複数群の表示セグメント群の一例として、緑色表示セグメント群１５と赤色表示セグメント群１６との２色の表示セグメント群が例示されている。しかしながら、本発明にいう複数群の表示セグメント群はこれらに限るものではなく、単色の表示セグメント群であってもよく、あるいは、赤色と緑色との組合せ以外の複数色の表示セグメント群であってもよい。ただし、複数色の表示セグメント群とすることで、例えば、緑色等による通常時の表示と、赤色等による緊急時の表示と、のように状況に応じた表示の使い分け等ができて好適である点は上述した通りである。
【符号の説明】
【００６２】
１      蛍光表示管（表示装置）
１１    フィラメント
１２    金属メッシュ
１３，１３−１，１３−２    蛍光表示部
１４    ガラス基板
１５，１５−１，１５−２    緑色表示セグメント群
１６，１６−１，１６−２    赤色表示セグメント群
１７    緑色基準パターン
１８    赤色基準パターン
１２１  外縁メッシュタブ
１２２  内部位置メッシュタブ
１３１  蛍光セグメント
１５１  緑色蛍光セグメント
１６１  赤色蛍光セグメント
１７１  緑色長環パターン
１７２  緑色横線パターン
１８１  赤色長環パターン
１８１ａ  上部湾曲パターン部分
１８１ｂ  下部湾曲パターン部分
１８２  赤色横線パターン
ｄ１１  間隙
ＢＰ１１  外部電源
Ｃｒ１１  スイッチ回路
【図１】
2019049677.tif 000003
【図２】
2019049677.tif 000004
【図３】
2019049677.tif 000005
【図４】
2019049677.tif 000006
【図５】
2019049677.tif 000007
【図６】
2019049677.tif 000008
【図７】
2019049677.tif 000009